(57)【要約】【課題】　　　　苛酷な使用条件下においても加水分解安定性に優れ、広範な分野で使用可能な潤滑油を提供する。【解決手段】　　下記の一般式［Ｉ］【化１】2004083917.tif 000016（上記一般式［Ｉ］において、Ａはシクロヘキサン環またはシクロヘキセン環を表し、Ｒ1 は水素原子またはメチル基を表し、Ｘは水素原子またはＣＯＯＲ4 を表し、Ｙは水素原子またはＣＯＯＲ5 を表し、Ｒ2、Ｒ3、Ｒ4、Ｒ5 は互いに同一でもまたは異なるものでもよく、炭素数３〜１８の分岐状のアルキル基、炭素数３〜１０のシクロアルキル基、炭素数１〜１８の直鎖状のアルキル基または炭素数２〜１８の直鎖状のアルケニル基を表す。）で表される脂環式ポリカルボン酸エステルの１種または２種以上を含有してなる潤滑油（ただし、上記一般式［Ｉ］により表される脂環式ポリカルボン酸エステルを含有する冷凍機用潤滑油を除く。）。【選択図】　　　なし【特許請求の範囲】
【請求項１】
下記の一般式［Ｉ］
【化１】
2004083917.tif 000015
（前記一般式［Ｉ］において、Ａはシクロヘキサン環またはシクロヘキセン環を表し、Ｒ1は水素原子またはメチル基を表し、Ｘは水素原子またはＣＯＯＲ4を表し、Ｙは水素原子またはＣＯＯＲ5を表し、Ｒ2、Ｒ3、Ｒ4、Ｒ5は互いに同一でもまたは異なるものでもよく、炭素数３〜１８の分岐状のアルキル基、炭素数３〜１０のシクロアルキル基、炭素数１〜１８の直鎖状のアルキル基または炭素数２〜１８の直鎖状のアルケニル基を表す。）
で表される脂環式ポリカルボン酸エステルの１種または２種以上を含有することを特徴とする潤滑油（ただし、前記一般式［Ｉ］の脂環式ポリカルボン酸エステルを含有する冷凍機用潤滑油を除く。）。
【請求項２】
前記脂環式ポリカルボン酸エステルが、１，２−シクロヘキサンジカルボン酸、４−シクロヘキセン−１，２−ジカルボン酸、３−メチル−１，２−シクロヘキサンジカルボン酸、４−メチル−１，２−シクロヘキサンジカルボン酸、３−メチル−４−シクロヘキセン−１，２−ジカルボン酸、４−メチル−４−シクロヘキセン−１，２−ジカルボン酸、１，２，４−シクロヘキサントリカルボン酸、１，３，５−シクロヘキサントリカルボン酸、１，２，４，５−シクロヘキサンテトラカルボン酸およびそれらの無水物よりなる群から選択される１種または２種以上の化合物を酸成分とするエステルである請求項１に記載の潤滑油。
【請求項３】
前記脂環式ポリカルボン酸エステルが、イソブタノール、シクロヘキサノール、イソヘプタノール、２−エチルヘキサノール、３，５，５−トリメチルヘキサノール、２，６−ジメチル−４−ヘプタノール、イソデカノール、イソウンデカノール、イソトリデカノール、イソオクタデカノール、ｎ−ヘプタノール、ｎ−オクタノール、ｎ−デカノール、ｎ−ウンデカノール、ｎ−ドデカノール、ｎ−テトラデカノール、ｎ−ヘキサデカノールおよびｎ−オクタデカノールよりなる群から選択される１種または２種以上の化合物をアルコール成分とするエステルである請求項１または請求項２に記載の潤滑油。
【請求項４】
前記脂環式カルボン酸エステルのアルコール成分中、炭素数１〜１８の直鎖状アルコールの総含有量が５０モル％以下である請求項１ないし請求項３のいずれかの請求項に記載の潤滑油。
【請求項５】
前記脂環式ポリカルボン酸エステルの含有量が１０重量％以上である請求項１ないし請求項４のいずれかの請求項に記載の潤滑油。
【請求項６】
前記潤滑油が金属加工用潤滑油である請求項１ないし請求項５のいずれかの請求項に記載の潤滑油。
【請求項７】
前記脂環式ポリカルボン酸エステルが、さらに、鉱油、合成炭化水素油、動植物油および併用エステルよりなる群から選択される少なくとも１種の成分と混合されてなる請求項６に記載の金属加工用潤滑油。
【発明の詳細な説明】
【技術分野】
【０００１】
　本発明は、潤滑油に関するものであり、さらに詳しくは、加水分解安定性に優れた有機酸エステルを含有する潤滑油、例えば、工業用潤滑油、自動車用潤滑油および船舶用潤滑油等、特に、金属の切削、圧延、研削、プレス加工、鍜造、押出し加工、引抜き加工等の油剤として用いられる金属加工用潤滑油のほか、冷凍機用潤滑油、油圧作動油等の工業用潤滑油に関するものである。
【０００２】
　さらに、本発明は、水溶性油剤として用いられる金属加工用潤滑油、特に、水とのエマルジョンとして用いられる冷間圧延用潤滑油およびフロンを冷媒として用いるカークーラー、冷凍冷蔵庫等の冷凍機用潤滑油等に適した耐加水分解性潤滑油基油を提供するものである。
【背景技術】
【０００３】
　潤滑油にとって、加水分解安定性は水分その他の夾雑物の共存下においてもその潤滑性能を維持するための一つの基本的な要求品質であり、特に、切削油剤、鉄鋼用またはアルミ用圧延油剤、プレス加工用潤滑剤、引抜き油剤等の金属加工用潤滑油、油圧作動油、繊維用油剤等エマルジョンとしてまた水の混入条件下で使用される潤滑油、また、フロンを冷媒とする冷凍機用潤滑油等にとっては加水分解安定性は不可欠な性能として要求されている。
【０００４】
　従来、切削、圧延、研削、プレス加工、鍛造、押出し加工、引抜き加工等の金属加工用油剤としては、鉱油や油脂類を用いる不水型油剤と、これらの基油を界面活性剤により水に溶解させるか、またはエマルジョンにした水溶性油剤が用いられてきた。近年、生産性向上のために加工速度が大きくなる傾向に伴い加工面の冷却が重要性を増し、また、油剤の引火を避けるため難燃化が求められている。水溶性油剤は、経済性、冷却性、そして安全性の面で不水型油剤と比べて優れており、水溶性油剤の比重が大きくなっている。
【０００５】
　しかしながら、水溶性油剤は不水型油剤に比べて、特に低速加工条件下での潤滑性が劣ることが欠点であり、この欠点解消の目的で、これまでナフテン系鉱油が主であった水溶性油剤に対して、潤滑性を改善した油剤として、天然油脂や合成エステルも基油として、または基油に対する添加剤として使用されるようになってきた。
【０００６】
　水溶性油剤は、一般に、前述の油脂および／または合成エステルに界面活性剤およびその他必要な添加剤を配合したものを、水に１０倍〜１００倍に希釈して使用する。この水溶性油剤は鉱油を用いたものに比べ潤滑性は良好である。しかしながら、エステルであるので、加水分解されるという欠点を持っている。そのため、水系加工油として長時間使用または長期間貯蔵すると、エステルが加水分解により酸とアルコールに分解し、油剤の性能が変化してくる。その結果、金属に錆や腐食を生じたり、油剤が分離不均一化して加工性能が劣化したりする。さらに、不水型油剤においても、油性剤成分としてエステルが用いられており、加水分解による油剤の性能劣化が問題となることもある。
【０００７】
また、金属圧延用潤滑油の場合も薄板圧延用の冷間圧延油には、潤滑性の優れた天然油脂、中でも比較的変質しにくい牛脂が水とのエマルジョンの形で用いられてきているが、近年、圧延速度の高速化に伴う圧延油の温度上昇により、牛脂の加水分解およびそれに起因する種々の問題が生じている。
【０００８】
　すなわち、圧延油を高温条件下、エマルジョン状態で使用すると、加水分解により牛脂中より遊離脂肪酸が発生し、それが鉄などの金属と反応して石鹸を生成し、油の性能を劣化させる。石鹸は油、水、鉄粉と混じり合って、除去、清掃が困難なスカムを形成する。さらに、その堆積物は引火しやすく、重大な事故の原因ともなりうる。また、石鹸を多く含むスカムがエマルジョン中に夾雑すると、なじみ効果、すなわち、表面粗さを減少させる効果が過度になり、ロール表面を早期に磨耗させることもある。
【０００９】
　一方、牛脂に代わるものとして各種合成エステル、例えば、トリメチロールプロパンやペンタエリスリトールなどのネオペンチルポリオールとオレイン酸とのエステルや、２−エチルヘキサノールまたはイソブタノールなどの分岐状アルコールと直鎖状脂肪酸とのエステルなどを使用することも検討されている。これらは、牛脂に比べて高価であるが熱安定性が良いなどの特徴がある。しかしながら、加水分解に対しては牛脂と同様に安定性が充分でない。
【００１０】
　また、従来、使用されてきた冷凍機の冷媒として分子中に塩素原子を含有するフロン、例えばＣＦＣ−１１（トリクロロモノフルオロメタン）、ＣＦＣ−１２（ジクロロジフルオロメタン）、ＨＣＦＣ−２２（モノクロロジフルオロメタン）等の揮発物がオゾン層を破壊し、また、地球温暖化の原因となり、人体や地球環境に様々な悪影響を及ぼすことが徐々に判明するに伴い、ＣＦＣは既に製造禁止となり、ＨＣＦＣは段階的に数量を減らしていくことが国際的な取り決めとなっている。そこで、近年、塩素原子を含有せず、オゾン層を破壊することのないＨＦＣ−１３４ａを代表とする代替フロンに切りかえられつつある。従来の塩素含有フロンは、鉱油系潤滑油と相溶性が良好であるため、冷凍機用潤滑油として鉱油系潤滑油が用いられていたが、ＨＦＣ−１３４ａ等の代替フロンは、塩素含有フロンに比べて分子極性がより高いため、鉱油系潤滑油との相溶性が不良である。
【００１１】
　そこで、代替フロン用潤滑油として、相溶性の良好なポリグリコール類（ポリアルキレングリコール、ポリエーテル）またはエステル類が使用されるようになってきたが、ポリグリコール類は電気絶縁性に問題があり、カーエアコン圧縮機には使用可能であるが、モーター内蔵型の密閉型冷凍圧縮機には使用不能である。一方、エステル類は電気絶縁性が高いのでいずれの用途にも使用可能であり、特にネオペンチルポリオールと一価のカルボン酸のエステルが実用に供されている。
【００１２】
　しかし、これらのポリオールエステルであっても直鎖状カルボン酸のエステルは加水分解安定性に難点があるため、分岐状カルボン酸と直鎖状カルボン酸の混合酸または分岐状カルボン酸のみのエステルが用いられている。それでも加水分解安定性は充分でなく、冷凍機の組立や補修の際には空気や水分の管理が必要とされるなど煩雑な操作が要求されている。
　このような状況において、各種の分野で耐加水分解性の良好な潤滑油が不可欠なものとなり、その開発が切望されてきた。
【発明の開示】
【発明が解決しようとする課題】
【００１３】
　本発明の第一の目的は、前記のような金属加工用潤滑油、冷凍機用潤滑油等の開発状況に鑑み、加水分解安定性に優れた新規な潤滑油を提供することにある。
　また、本発明の第二の目的は、耐加水分解性に良好な合成エステル系潤滑油基油を提供することにある。
　さらに、本発明の第三の目的は、加水分解安定性に優れた合成エステル系潤滑油基油を提供し、該潤滑油基油を含有する各種金属加工用潤滑油、特に金属圧延用潤滑油、および冷凍機用潤滑油のほか多分野で使用可能な潤滑油を提供することにある。
【課題を解決するための手段】
【００１４】
　本発明者らは、上記課題を解決すべく鋭意検討の結果、特定の脂環式ポリカルボン酸エステルが加水分解安定性に優れていることを見いだし、さらに、該脂環式ポリカルボン酸エステルを潤滑油基油として用いることにより所定の目的を達成できることを見いだし、かかる知見に基づいて本発明を完成するに至った。
【００１５】
　すなわち、本発明は、一般式［Ｉ］
【化１】
2004083917.tif 000002
（上記一般式［Ｉ］において、Ａはシクロヘキサン環またはシクロヘキセン環を表し、Ｒ1は水素原子またはメチル基を表し、Ｘは水素原子またはＣＯＯＲ4を表し、Ｙは水素原子またはＣＯＯＲ5を表し、Ｒ2、Ｒ3、Ｒ4、Ｒ5は互いに同一でもまたは異なるものでもよく、炭素数３〜１８の分岐状のアルキル基、炭素数３〜１０のシクロアルキル基、炭素数１〜１８の直鎖状のアルキル基または炭素数２〜１８の直鎖状のアルケニル基を表す。）
で表される脂環式ポリカルボン酸エステル（以下、必要に応じ「本エステル」という。）の１種または２種以上を含有することを特徴とする潤滑油に関するものである。
【００１６】
　また、本発明は、上記一般式［Ｉ］で表される脂環式ポリカルボン酸エステルの１種または２種以上を含有する金属加工用潤滑油、特に金属圧延油、切削油およびプレス加工用潤滑油ならびに冷凍機用潤滑油を提供するものである。
【発明の効果】
【００１７】
　本発明の脂環式ポリカルボン酸エステルを含有する潤滑油は加水分解安定性に優れ苛酷な条件下において酸価の上昇も低く、金属の表面変化も小さく、また、各用途において要求される性状も有することから、切削油、圧延油、研削油、引抜油、プレス加工油等の金属加工油、油圧作動油、繊維用油剤、グリースをはじめ、エマルジョンとして、または水の混入条件下で使用される種々の用途にわたる潤滑油の基油に用いることができる。また、低温でフロンとの相溶性にも優れているので、分子中に塩素原子を含まないハイドロフルオロカーボン、例えば、ＨＦＣ−１３４ａ、ＨＦＣ−１３４、ＨＦＣ−１２５、ＨＦＣ−３２、ＨＦＣ−１４３ａおよびそれらの混合物を冷媒とする冷凍機用潤滑油の基油として用いることもできる。
【発明を実施するための最良の形態】
【００１８】
　次に、本発明の潤滑油の成分として用いられる脂環式ポリカルボン酸エステルについて説明する。
【００１９】
脂環式ポリカルボン酸エステル
　脂環式ポリカルボン酸エステルは、次の一般式［Ｉ］で表される。
【化２】
2004083917.tif 000003
【００２０】
上記一般式［Ｉ］において、Ａはシクロヘキサン環またはシクロヘキセン環を表し、Ｒ1は水素原子またはメチル基を表し、Ｘは水素原子またはＣＯＯＲ4を表し、Ｙは水素原子またはＣＯＯＲ5を表し、Ｒ2、Ｒ3、Ｒ4、Ｒ5は互いに同一でもまたは異なるものでもよく、炭素数３〜１８の分岐状のアルキル基、炭素数３〜１０のシクロアルキル基、炭素数１〜１８の直鎖状のアルキル基または炭素数２〜１８の直鎖状のアルケニル基を表す。
【００２１】
　本エステルは、所定の酸成分とアルコール成分とを常法に従って、好ましくは窒素等の不活性化ガス雰囲気下において、エステル化触媒の存在下または無触媒下で加熱撹拌しながらエステル化することにより調製される化合物である。
【００２２】
　本エステルを構成する酸成分としては、シクロヘキサンポリカルボン酸またはシクロヘキセンポリカルボン酸およびそれらの無水物が挙げられ、その１種または２種以上の化合物を混合して用いることができる。各々のカルボキシル基の置換位置および立体配置は問わない。
【００２３】
　具体的には、１，２−シクロヘキサンジカルボン酸、４−シクロヘキセン−１，２−ジカルボン酸、１−シクロヘキセン−１，２−ジカルボン酸、１，３−シクロヘキサンジカルボン酸、１，４−シクロヘキサンジカルボン酸、３−メチル−１，２−シクロヘキサンジカルボン酸、４−メチル−１，２−シクロヘキサンジカルボン酸、３−メチル−４−シクロヘキセン−１，２−ジカルボン酸、４−メチル−４−シクロヘキセン−１，２−ジカルボン酸、１，２，４−シクロヘキサントリカルボン酸、１，３，５−シクロヘキサントリカルボン酸、１，２，４，５−シクロヘキサンテトラカルボン酸およびそれらの無水物が例示され、これらのうち、１，２−シクロヘキサンジカルボン酸、３−メチル−１，２−シクロヘキサンジカルボン酸、４−メチル−１，２−シクロヘキサンジカルボン酸、４−シクロヘキセン−１，２−ジカルボン酸、３−メチル−４−シクロヘキセン−１，２−ジカルボン酸、４−メチル−４−シクロヘキセン−１，２−ジカルボン酸およびそれらの無水物が好ましい。
　酸成分は上記酸を単独で用いることが可能であり、また、２種以上の酸を用いてエステル化することも可能である。
【００２４】
　本エステルを構成するアルコール成分としては、炭素数３〜１８の分岐状アルコール、炭素数３〜１０のシクロアルコールまたは炭素数１〜１８の直鎖状アルコールが挙げられる。
　具体的な分岐状アルコールとしては、イソプロパノール、イソブタノール、sec−ブタノール、イソペンタノール、イソヘキサノール、２−メチルヘキサノール、１−メチルヘプタノール、２−メチルヘプタノール、イソヘプタノール、２−エチルヘキサノール、２−オクタノール、イソオクタノール、３，５，５−トリメチルヘキサノール、イソデカノール、イソウンデカノール、イソドデカノール、イソトリデカノール、イソテトラデカノール、イソペンタデカノール、イソヘキサデカノール、イソオクタデカノール、２，６−ジメチル−４−ヘプタノール、イソノナノール等が例示される。
　また、シクロアルコールとしては、シクロヘキサノール、メチルシクロヘキサノール、ジメチルシクロヘキサノール等を例示することができる。
【００２５】
　さらに、直鎖状アルコールとしては、メタノール、エタノール、ｎ−プロパノール、ｎ−ブタノール、ｎ−ペンタノール、ｎ−ヘキサノール、ｎ−ヘプタノール、ｎ−オクタノール，ｎ−ノナノール、ｎ−デカノール、ｎ−ウンデカノール、ｎ−ドデカノール、ｎ−トリデカノール、ｎ−テトラデカノール、ｎ−ペンタデカノール、ｎ−ヘキサデカノール、ｎ−オクタデカノール、９−オクタデセノール等を例示することができる。
　特に、イソブタノール、シクロヘキサノール、イソヘプタノール、２−エチルヘキサノール、３，５，５−トリメチルヘキサノール、２，６−ジメチル−４−ヘプタノール、イソデカノール、イソウンデカノール、イソトリデカノール、イソオクタデカノール、ｎ−ヘプタノール、ｎ−オクタノール、ｎ−デカノール、ｎ−ウンデカノール、ｎ−ドデカノール、ｎ−テトラデカノール、ｎ−ヘキサデカノールおよびｎ−オクタデカノール等が好ましい。
【００２６】
　アルコール成分としては、上記アルコールを単独でエステル化反応に供することが可能であり、また、２種以上のアルコールを混合して用いることも可能である。
　エステル化反応を行うに際し、アルコール成分は、例えば、酸成分１当量に対して１〜１．５当量、好ましくは１．０５当量〜１．２当量程度用いられる。
【００２７】
さらに、前記酸成分またはアルコール成分の代わりに当該酸成分の低級アルコールエステルおよび／または当該アルコール成分の酢酸エステル、プロピオン酸エステル等を用いて、エステル交換反応により脂環式ポリカルボン酸エステルを得ることも可能である。
【００２８】
　エステル化触媒としては、ルイス酸類、アルカリ金属類、スルホン酸類等が例示される。具体的には、ルイス酸としては、アルミニウム誘導体、スズ誘導体、チタン誘導体が例示され、アルカリ金属類としてはナトリウムアルコキシド、カリウムアルコキシド等が例示され、さらに、スルホン酸類としてはパラトルエンスルホン酸、メタンスルホン酸、硫酸等が例示される。その中でも炭素数３〜８の有機チタン化合物、炭素数１〜４のナトリウムアルコキシド、パラトルエンスルホン酸が好ましい。その使用量は、例えば、エステル合成原料である酸成分およびアルコール成分の総重量に対して０．１重量％〜１重量％程度用いられる。
　エステル化温度としては、１５０℃〜２３０℃が例示され、通常、３時間〜３０時間で反応は完結する。
　エステル化反応終了後、過剰の原料を減圧下または常圧下にて留去する。引き続き、慣用の精製方法、例えば、液液抽出、減圧蒸留、活性炭処理等の吸着精製等により、生成エステルを精製することができる。
【００２９】
　また、本発明に係る脂環式ポリカルボン酸エステルは、相当する芳香族ポリカルボン酸エステルを核水添することによっても製造することができる。
　かくして得られる脂環式ポリカルボン酸分岐状アルキルエステルおよびシクロアルキルエステルの中でも、特に、１，２−シクロヘキサンジカルボン酸ジイソブチル、１，２−シクロヘキサンジカルボン酸ジシクロヘキシル、１，２−シクロヘキサンジカルボン酸ジイソヘプチル、１，２−シクロヘキサンジカルボン酸ジ（２−エチルヘキシル）、１，２−シクロヘキサンジカルボン酸ジ（３，５，５−トリメチルヘキシル）、１，２−シクロヘキサンジカルボン酸ジ（２，６−ジメチル−４−ヘプチル）、１，２−シクロヘキサンジカルボン酸ジイソデシル、１，２−シクロヘキサンジカルボン酸ジイソウンデシル、１，２−シクロヘキサンジカルボン酸ジイソトリデシル、１，２−シクロヘキサンジカルボン酸ジイソオクタデシル、４−シクロヘキセン−１，２−ジカルボン酸ジイソブチル、４−シクロヘキセン−１，２−ジカルボン酸ジシクロヘキシル、４−シクロヘキセン−１，２−ジカルボン酸ジイソヘプチル、４−シクロヘキセン−１，２−ジカルボン酸ジ（２−エチルヘキシル）、４−シクロヘキセン−１，２−ジカルボン酸ジ（３，５，５−トリメチルヘキシル）、４−シクロヘキセン−１，２−ジカルボン酸ジ（２，６−ジメチル−４−ヘプチル）、４−シクロヘキセン−１，２−ジカルボン酸ジイソデシル、４−シクロヘキセン−１，２−ジカルボン酸ジイソウンデシル、４−シクロヘキセン−１，２−ジカルボン酸ジイソトリデシル、４−シクロヘキセン−１，２−ジカルボン酸ジイソオクタデシル、３−メチル−１，２−シクロヘキサンジカルボン酸ジイソブチル、３−メチル−１，２−シクロヘキサンジカルボン酸ジシクロヘキシル、３−メチル−１，２−シクロヘキサンジカルボン酸ジイソヘプチル、３−メチル−１，２−シクロヘキサンジカルボン酸ジ（２−エチルヘキシル）、３−メチル−１，２−シクロヘキサンジカルボン酸ジ（３，５，５−トリメチルヘキシル）、３−メチル−１，２−シクロヘキサンジカルボン酸ジ（２，６−ジメチル−４−ヘプチル）、３−メチル−１，２−シクロヘキサンジカルボン酸ジイソデシル、３−メチル−１，２−シクロヘキサンジカルボン酸ジイソウンデシル、３−メチル−１，２−シクロヘキサンジカルボン酸ジイソトリデシル、３−メチル−１，２−シクロヘキサンジカルボン酸ジイソオクタデシル、４−メチル−１，２−シクロヘキサンジカルボン酸ジイソブチル、４−メチル−１，２−シクロヘキサンジカルボン酸ジシクロヘキシル、４−メチル−１，２−シクロヘキサンジカルボン酸ジイソヘプチル、４−メチル−１，２−シクロヘキサンジカルボン酸ジ（２−エチルヘキシル）、４−メチル−１，２−シクロヘキサンジカルボン酸ジ（３，５，５−トリメチルヘキシル）、４−メチル−１，２−シクロヘキサンジカルボン酸ジ（２，６−ジメチル−４−ヘプチル）、４−メチル−１，２−シクロヘキサンジカルボン酸ジイソデシル、４−メチル−１，２−シクロヘキサンジカルボン酸ジイソウンデシル、４−メチル−１，２−シクロヘキサンジカルボン酸ジイソトリデシル、４−メチル−１，２−シクロヘキサンジカルボン酸ジイソオクタデシル、３−メチル−４−シクロヘキセン−１，２−ジカルボン酸ジイソブチル、３−メチル−４−シクロヘキセン−１，２−ジカルボン酸ジシクロヘキシル、３−メチル−４−シクロヘキセン−１，２−ジカルボン酸ジイソヘプチル、３−メチル−４−シクロヘキセン−１，２−ジカルボン酸ジ（２−エチルヘキシル）、３−メチル−４−シクロヘキセン−１，２−ジカルボン酸ジ（３，５，５−トリメチルヘキシル）、３−メチル−４−シクロヘキセン−１，２−ジカルボン酸ジ（２，６−ジメチル−４−ヘプチル）、３−メチル−４−シクロヘキセン−１，２−ジカルボン酸ジイソデシル、３−メチル−４−シクロヘキセン−１，２−ジカルボン酸ジイソウンデシル、３−メチル−４−シクロヘキセン−１，２−ジカルボン酸ジイソトリデシル、３−メチル−４−シクロヘキセン−１，２−ジカルボン酸ジイソオクタデシル、４−メチル−４−シクロヘキセン−１，２−ジカルボン酸ジイソブチル、４−メチル−４−シクロヘキセン−１，２−ジカルボン酸ジシクロヘキシル、４−メチル−４−シクロヘキセン−１，２−ジカルボン酸ジイソヘプチル、４−メチル−４−シクロヘキセン−１，２−ジカルボン酸ジ（２−エチルヘキシル）、４−メチル−４−シクロヘキセン−１，２−ジカルボン酸ジ（３，５，５−トリメチルヘキシル）、４−メチル−４−シクロヘキセン−１，２−ジカルボン酸ジ（２，６−ジメチル−４−ヘプチル）、４−メチル−４−シクロヘキセン−１，２−ジカルボン酸ジイソデシル、４−メチル−４−シクロヘキセン−１，２−ジカルボン酸ジイソウンデシル、４−メチル−４−シクロヘキセン−１，２−ジカルボン酸ジイソトリデシル、４−メチル−４−シクロヘキセン−１，２−ジカルボン酸ジイソオクタデシルよりなる群から選択される１種または２種以上のエステル等が推奨される。
【００３０】
　また、脂環式ポリカルボン酸直鎖状アルキルエステルは、通常、前記の脂環式ポリカルボン酸分岐状アルキルエステルおよび／またはシクロアルキルエステルの１種または２種以上と併用して用いることが好ましい。
【００３１】
　脂環式ポリカルボン酸直鎖状アルキルエステルの具体例としては、１，２−シクロヘキサンジカルボン酸ジヘプチル、１，２−シクロヘキサンジカルボン酸ジオクチル、１，２−シクロヘキサンジカルボン酸ジデシル、１，２−シクロヘキサンジカルボン酸ジウンデシル、１，２−シクロヘキサンジカルボン酸ジドデシル、１，２−シクロヘキサンジカルボン酸ジテトラデシル、１，２−シクロヘキサンジカルボン酸ジヘキサデシル、１，２−シクロヘキサンジカルボン酸ジオクタデシル、４−シクロヘキセン−１，２−ジカルボン酸ジヘプチル、４−シクロヘキセン−１，２−ジカルボン酸ジオクチル、４−シクロヘキセン−１，２−ジカルボン酸ジデシル、４−シクロヘキセン−１，２−ジカルボン酸ジウンデシル、４−シクロヘキセン−１，２−ジカルボン酸ジドデシル、４−シクロヘキセン−１，２−ジカルボン酸ジテトラデシル、４−シクロヘキセン−１，２−ジカルボン酸ジヘキサデシル、４−シクロヘキセン−１，２−ジカルボン酸ジオクタデシル、３−メチル−１，２−シクロヘキサンジカルボン酸ジヘプチル、３−メチル−１，２−シクロヘキサンジカルボン酸ジオクチル、３−メチル−１，２−シクロヘキサンジカルボン酸ジデシル、３−メチル−１，２−シクロヘキサンジカルボン酸ジウンデシル、３−メチル−１，２−シクロヘキサンジカルボン酸ジドデシル、３−メチル−１，２−シクロヘキサンジカルボン酸ジテトラデシル、３−メチル−１，２−シクロヘキサンジカルボン酸ジヘキサデシル、３−メチル−１，２−シクロヘキサンジカルボン酸ジオクタデシル、４−メチル−１，２−シクロヘキサンジカルボン酸ジヘプチル、４−メチル−１，２−シクロヘキサンジカルボン酸ジオクチル、４−メチル−１，２−シクロヘキサンジカルボン酸ジデシル、４−メチル−１，２−シクロヘキサンジカルボン酸ジウンデシル、４−メチル−１，２−シクロヘキサンジカルボン酸ジドデシル、４−メチル−１，２−シクロヘキサンジカルボン酸ジテトラデシル、４−メチル−１，２−シクロヘキサンジカルボン酸ジヘキサデシル、４−メチル−１，２−シクロヘキサンジカルボン酸ジオクタデシル、３−メチル−４−シクロヘキセン−１，２−ジカルボン酸ジヘプチル、３−メチル−４−シクロヘキセン−１，２−ジカルボン酸ジオクチル、３−メチル−４−シクロヘキセン−１，２−ジカルボン酸ジデシル、３−メチル−４−シクロヘキセン−１，２−ジカルボン酸ジウンデシル、３−メチル−４−シクロヘキセン−１，２−ジカルボン酸ジドデシル、３−メチル−４−シクロヘキセン−１，２−ジカルボン酸ジテトラデシル、３−メチル−４−シクロヘキセン−１，２−ジカルボン酸ジヘキサデシル、３−メチル−４−シクロヘキセン−１，２−ジカルボン酸ジオクタデシル、４−メチル−４−シクロヘキセン−１，２−ジカルボン酸ジヘプチル、４−メチル−４−シクロヘキセン−１，２−ジカルボン酸ジオクチル、４−メチル−４−シクロヘキセン−１，２−ジカルボン酸ジデシル、４−メチル−４−シクロヘキセン−１，２−ジカルボン酸ジウンデシル、４−メチル−４−シクロヘキセン−１，２−ジカルボン酸ジドデシル、４−メチル−４−シクロヘキセン−１，２−ジカルボン酸ジテトラデシル、４−メチル−４−シクロヘキセン−１，２−ジカルボン酸ジヘキサデシル、４−メチル−４−シクロヘキセン−１，２−ジカルボン酸ジオクタデシルよりなる群から選択される１種または２種以上のエステル等を挙げることができる。
【００３２】
　さらに、アルコール成分として分岐状アルコールおよび／またはシクロアルコールの１種または２種以上と直鎖状アルコールの１種または２種以上とを混合したものを用いて脂環式ポリカルボン酸混合基エステルを合成することも可能である。
【００３３】
かくして得られる脂環式ポリカルボン酸エステル組成物におけるアルコール成分中、炭素数１〜１８の直鎖状アルコールの総含有率は５０モル％以下であることが推奨される。とりわけ、炭素数１２〜１８の直鎖状アルコールの総含有率が５０モル％を超える場合はエステルの融点が高くなり流動性が悪くなる傾向が認められる。
【００３４】
　一般に、エステルが水と共存する状態で高温にさらされたとき、所定のカルボン酸とアルコールに分解する。ここでエステルの加水分解生成物の酸価の上昇が小さければ加水分解が抑制されていることを示すものであり、安定性が大と考えられる。この方法で比較すると、例えば、従来から金属加工用潤滑油の基油として用いられてきた牛脂、パルミチン酸２−エチルヘキシル、ステアリン酸イソブチル、トリメチロールプロパンのオレイン酸エステルは、酸価の上昇が大きく、油中に浸漬した鉄片の重量変化が大きく、鉄、銅、アルミニウム等の金属片の表面も腐食などにより状態が変化する。また、脂肪族ポリカルボン酸エステルおよび芳香族ポリカルボン酸エステルも酸価の上昇が大きい。
【００３５】
　これに対し、シクロヘキサンポリカルボン酸エステルまたはシクロヘキセンポリカルボン酸エステルは酸価の上昇が小さく、また、鉄片の重量変化が僅かで、金属表面の見かけの変化も殆ど観察されない高度の耐加水分解性を有する。
　潤滑油中における本エステルの含有量としては１０重量％以上が推奨される。１０重量％未満では加水分解安定性に難点が生ずるおそれがある。
【００３６】
　次に、本発明の脂環式ポリカルボン酸エステルを含有する耐加水分解性潤滑油基油を用いた金属加工用潤滑油および冷凍機用潤滑油について説明する。
【００３７】
金属加工用潤滑油
　本エステルは金属加工用潤滑油の基油として好適であり、基油としては、本エステルを単独でまたは本エステルに他の基油、例えば鉱油、合成炭化水素油、動植物油、本エステル以外のエステル（以下「併用エステル」という）よりなる群から選択される１種または２種以上を混合したものも用いることが可能である。
【００３８】
　鉱油としては、通常、パラフィン基系原油、中間基系原油、ナフテン基系原油等の常圧および減圧蒸留により得られる潤滑油留分が例示される。
　合成炭化水素油としては、低分子量ポリブテン、低分子量ポリプロピレン、さらには、炭素数８〜１４のα−オレフィンオリゴマーおよびこれらの水添化合物、アルキルベンゼン、アルキルナフタレン等が例示される。
　動植物油としては、牛脂、豚脂、パーム油、ヤシ油、なたね油等が例示される。
　併用エステルとしては、脂肪酸モノエステル、アジピン酸エステル、アゼライン酸エステル、セバシン酸エステル、フタル酸エステル、トリメリット酸エステルおよびポリオールエステル等が例示される。
　金属加工用潤滑油中における鉱油、合成炭化水素油、動植物油および／または併用エステルの含有量としては、組成物全重量基準で１０重量％〜９０重量％が推奨される。
【００３９】
　本発明に係る金属加工用潤滑油には、その基油の性能を向上させるために界面活性剤、極圧添加剤、防錆剤、気相防錆剤、金属防食剤、カップリング剤、流動点降下剤、増粘剤、防腐殺菌剤、消泡剤、染料、香料その他の添加剤の１種または２種以上を適宜配合することも可能である。これらの添加剤の配合量は、従来の金属加工用潤滑油の配合量と同様である。金属加工用潤滑油の添加剤として所定の効果を奏する限り特に限定されるものではないが、その具体的な例を以下に示す。
【００４０】
　界面活性剤としては、脂肪酸石ケン、硫酸エステルタイプ、スルホン酸タイプのアニオン系およびポリオキシエチレンタイプ、多価アルコールタイプ、アルキロールアミドタイプの非イオン系等がある。
【００４１】
　極圧添加剤としては、塩素化パラフィン、塩素化脂肪酸、塩素化脂肪酸エステル等の塩素系、硫化鉱油、硫化油脂等の硫黄系、リン酸エステル、亜リン酸エステルなどのリン系等が主であるが、有機金属化合物、固体潤滑剤を配合することもある。
　防錆剤としては、カルボン酸塩、スルホン酸塩、トリエタノールアミン等のアミン類、オレイン酸ジエタノールアミド、アジピン酸シクロヘキシルアミド等のアミド類、ソルビタンオレエート等のエステル類、セバシン酸等の二塩基酸類、亜硝酸塩、リン酸塩、ホウ酸塩等の無機系のものがある。
　気相防錆剤としては、低級アミンの亜硝酸塩、モルホリン、シクロヘキシルアミン等がある。
【００４２】
　金属防食剤としては、ベンゾトリアゾール、イミダゾリン、メルカプトベンゾチアゾール、チアジアゾール、ポリスルフィド等がある。
　カップリング剤としては、ブチルジグリコール、ブチルセロソルブ等がある。
　流動点降下剤としては、エチレングリコール、プロピレングリコール等がある。
増粘剤としては、ポリアルキレングリコール類、セルロース誘導体、ポリアクリル酸ソーダ等がある。
防腐殺菌剤としては、ｏ−フェニルフェノール、ｐ−クロロ−ｍ−キシレノール等のフェノール系、ヘキサヒドロトリアジン、２ーヒドロキシメチル−２−ニトロ−１，３−プロパンジオール等のホルムアルデヒド供与体がある。
　消泡剤としては、シリコーン、高級アルコール、ポリアルキレングリコール、フッ素系ポリエーテル等がある。
【００４３】
　上記の方法により調製した金属加工用潤滑油を水溶性油剤として使用する場合には、水で１０倍ないし１００倍に希釈して使用することができる。
　また、本エステルは、金属加工用潤滑油のうち、金属圧延用潤滑油の基油としても好適である。金属圧延用潤滑油の基油としての本エステルに鉱油、合成炭化水素油、動植物油、併用エステルを混合したものも使用することができるが、加水分解安定性を損なわないように５０重量％以下とすることがさらに好ましい。また、金属圧延用潤滑油に適するように基油の性能を向上させるために油性剤、極圧剤、粘度指数向上剤、酸化防止剤、防錆剤、乳化剤、金属不活性剤、金属腐食防止剤、消泡剤等の公知の添加剤の１種または２種以上を適宜配合することも可能であり、所定の効果を奏する限り、特に限定されるものではないが、その具体的な例を以下に示す。
【００４４】
　油性剤としては、高級脂肪酸、高級アルコール等があり、通常、基油に対して０．１重量％〜２重量％添加するのが良い。
　極圧剤としては、アルキルホスフェート、ジアルキルホスフェート、アルキルポリエチレンオキシホスフェート等があり、通常、基油に対して０．１重量％〜５重量％添加するのが良い。
【００４５】
　粘度指数向上剤としては、ポリアルキルメタクリレート、エチレン−プロピレンコポリマー、スチレン−ブタジエンコポリマー等があり、通常、基油に対して１重量％〜２０重量％添加するのが良い。
　酸化防止剤としては、フェノール系、アミン系、硫黄系等のものがあり、例えば、２，６−ジ−tert−ブチル−４−メチルフェノール、４，４’−メチレンビス（２，６−ジ−tert−ブチルフェノール）、２，２’−チオビス（４−メチル−６−tert−ブチルフェノール）、フェニル−α−ナフチルアミン、オクチルフェニル−α−ナフチルアミン、ｐ，ｐ’−ジオクチルジフェニルアミン、ジベンジルジサルファイド等を用いることができる。これらの酸化防止剤は、通常、基油に対して０．０１重量％〜５重量％、好ましくは０．１重量％〜２重量％添加するのが良い。
【００４６】
　乳化剤としては、脂肪酸アミン石けん、スルホン酸塩、エステル系ノニオン、エーテル系ノニオン等があり、通常、基油に対して０．２重量％〜１０重量％添加するのが良い。
　金属不活性剤および腐食防止剤としては、ベンゾトリアゾール、アルキルベンゾトリアゾール、メルカプトベンゾチアゾール、チアジアゾール誘導体等を使用できる。これらの金属不活性剤および腐食防止剤は、基油に対して０．０１重量％〜１重量％添加するのが良い。
【００４７】
冷凍機用潤滑油
　さらに、本エステルは、冷凍機用潤滑油に用いることができ、本エステルまたは本エステルに他のエステル（以下「併用エステル」という）の１種または２種以上の化合物を混合することにより冷凍機用潤滑油基油を調製することができる。
【００４８】
　冷凍機用潤滑油に用いられる特に好ましい脂環式ポリカルボン酸エステルとしては、１，２−シクロヘキサンジカルボン酸ジイソブチル、１，２−シクロヘキサンジカルボン酸ジシクロヘキシル、１，２−シクロヘキサンジカルボン酸ジイソヘプチル、１，２−シクロヘキサンジカルボン酸ジ（２−エチルヘキシル）、１，２−シクロヘキサンジカルボン酸ジ（３，５，５−トリメチルヘキシル）、１，２−シクロヘキサンジカルボン酸ジ（２，６−ジメチル−４−ヘプチル）、１，２−シクロヘキサンジカルボン酸ジイソデシル、１，２−シクロヘキサンジカルボン酸ジイソウンデシル、４−シクロヘキセン−１，２−ジカルボン酸ジシクロヘキシル、４−シクロヘキセン−１，２−ジカルボン酸ジイソヘプチル、４−シクロヘキセン−１，２−ジカルボン酸ジ（２−エチルヘキシル）、４−シクロヘキセン−１，２−ジカルボン酸ジ（３，５，５，−トリメチルヘキシル）、３−メチル−１，２−シクロヘキサンジカルボン酸ジ（３，５，５−トリメチルヘキシル）、４−メチル−１，２−シクロヘキサンジカルボン酸ジ（３，５，５−トリメチルヘキシル）、３−メチル−４−シクロヘキセン−１，２−ジカルボン酸ジ（３，５，５−トリメチルヘキシル）、４−メチル−４−シクロヘキセン−１，２−ジカルボン酸ジ（３，５，５−トリメチルヘキシル）、１，２，４，５−シクロヘキサンテトラカルボン酸テトラ（３，５，５−トリメチルヘキシル）等を挙げることができ、これらは、２種以上混合して用いることもできる。
【００４９】
　併用エステルとしては、アジピン酸エステル、アゼライン酸エステル、セバシン酸エステル、フタル酸エステル、トリメリット酸エステル、およびポリオールエステル等が挙げられるが、体積固有抵抗、フロンとの相溶性、粘度等の冷凍機用潤滑油としての物性バランスを考慮した場合、ネオペンチルポリオールと一価のカルボン酸からなるポリオールエステルが特に好ましい。ポリオールエステルは、多価アルコール成分としてネオペンチルグリコール、トリメチロールプロパン、ジトリメチロールプロパン、トリトリメチロールプロパン、ペンタエリスリトール、ジペンタエリスリトール等、また、酸成分としてイソ酪酸、２−エチル酪酸、イソバレリン酸、ピバリン酸、シクロヘキサンカルボン酸、２−メチルペンタン酸、２−エチルペンタン酸、２−メチルヘキサン酸、２−エチルヘキサン酸、３，５，５−トリメチルヘキサン酸等からなるエステルが推奨される。
　冷凍機用潤滑油中における併用エステルの含有量としては、１０重量％〜９０重量％が推奨される。
【００５０】
　本発明に係る冷凍機用潤滑油には、基油の性能を向上させるために酸化防止剤、金属不活性剤、摩耗防止剤、消泡剤、加水分解抑制剤等の添加剤の１種または２種以上を適宜配合することも可能である。所定の効果を奏する限り特に限定されるものではないが、その具体的な例を以下に示す。
【００５１】
　酸化防止剤としては、前記の金属圧延用潤滑油に用いられるフェノール系、アミン系、硫黄系等のものと同一のものを同量使用することができる。
　金属不活性剤としては、前記の金属圧延用潤滑油に用いられるベンゾトリアゾール等と同一のものを同量使用することができる。
【００５２】
　摩耗防止剤としては、トリクレジルホスフェート、クレジルジフェニルホスフェート、アルキルフェニルホスフェート類、トリブチルホスフェート、ジブチルホスフェート等のりん酸エステル類、トリブチルホスファイト、ジブチルホスファイト、トリイソプロピルホスファイト等の亜りん酸エステル類が一般的である。これらの摩耗防止剤は、基油に対して０．０１重量％〜５重量％、好ましくは０．０１重量％〜２重量％配合するのが良い。
【００５３】
　消泡剤としては、液状シリコーンが適しており、好ましくは基油に対して０．０００５重量％〜０．０１重量％の量で添加される。
　加水分解抑制剤としては、エポキシ化合物、例えば、アルキルグリシジルエーテル類、アルキレングリコールグリシジルエーテル類、脂環式エポキシ化合物類、フェニルグリシジルエーテルおよびその誘導体であり、配合量としては、基油に対して０．０５重量％〜２重量％が適当である。
【実施例】
【００５４】
以下、実施例および比較例に基いて本発明を具体的に説明する。なお、各実施例等における潤滑油の特性は次の方法により評価した。
【００５５】
加水分解安定性試験
　内径６．６mm、高さ３０cmのガラス試験管に長さ４cmの鉄、銅およびアルミニウムの針金を入れ、試料エステルを２．０ｇ、蒸留水を０．２ｇ秤りとる。アスピレーターで脱気しながらその試験管を封じ、オーブンに入れて１６０℃で１６時間加熱する。その後試料エステルを取り出し、酸価を測定するとともに鉄線の表面状態を目視にて観察し、以下のように３段階で評価する。
　　○：変化はない   
　　△：若干の変色みられる 
　　×：黒色に変化する
　なお、冷凍機用潤滑油として評価する場合は、オーブン中１７５℃で２０時間加熱する。
【００５６】
動粘度
　ウベローデ粘度計を用いてＪＩＳ−Ｋ−２２８３に準拠して測定する。
流動点
　ＪＩＳ−Ｋ−２２６９に準拠して測定する。
体積固有抵抗
　ＪＩＳ−Ｃ−２１０１に準拠して２５℃にて測定する。
フロン相溶性試験
　ガラス管に試料油が１０重量％となるように試料油とハイドロフルオロカーボン冷媒ＨＦＣ−１３４ａを加えて封管し、−６０℃〜１００℃での二相分離温度を測定する。
【００５７】
［製造例１］
　撹拌機、温度計、冷却管付き水分分留器を備えた４ツ口フラスコに４−シクロヘキセン−１，２−ジカルボン酸無水物（本品は無水マレイン酸と１，３−ブタジエンとを通常のディールス−アルダー反応をすることにより調製した）１５２．１ｇ（１モル）、２−エチルヘキサノール２８６．５ｇ（２．２モル）を仕込み、テトライソプロピルチタネート触媒の存在下、減圧下にて２００℃まで昇温した。生成した水を水分分留器にとりながらエステル化反応を約９時間行った。反応後、過剰の２−エチルヘキサノールを蒸留で除去し、苛性ソーダで中和し、その後中性になるまで水洗した。次いで活性炭処理を行い、濾過後、４−シクロヘキセン−１，２−ジカルボン酸ジ（２−エチルヘキシル）３４３．２ｇを得た。酸価および動粘度を第１表に示す。
【００５８】
［製造例２〜１３］
　製造例１と同様の方法により、第１表に示す各エステル調製した。各エステルの酸価および動粘度を同表に示す。
【００５９】
［製造例１４］
　製造例１と同様の反応装置、反応容器に、トリメリット酸無水物１９２．０ｇ（１．０モル）、イソデカノール５２２．１ｇ（３．３モル）を仕込み、製造例１と同様の方法でエステル化を行い、トリメリット酸トリイソデシル５９８ｇを得た。続いて、トリメリット酸トリ（イソデシル）８０ｇ（０．１５モル）をオートクレーブにとり、核水素化触媒存在下、１３０℃にて、水素圧力５０Kg/cm2Ｇの条件下で１時間水素化を行い、１，２，４−シクロヘキサントリカルボン酸トリ（イソデシル）７７ｇを得た。酸価および動粘度を第１表に示す。
【００６０】
【表１】
2004083917.tif 000004
【００６１】
［製造比較例１〜４］
　製造例１と同様の方法により、第２表に示す各エステルを得た。各エステルの酸価および動粘度を第２表に示す。
【００６２】
【表２】
2004083917.tif 000005
【００６３】
［実施例１〜１４］
　製造例１〜１４で得られたエステルの加水分解安定性を評価した。得られた結果を第３表に示す。
【００６４】
［実施例１５］
　製造例２のエステルと製造例３のエステルとを重量比１：１で混合し、実施例１５の化合物とし、このものの加水分解安定性を評価した。得られた結果を第３表に示す。
【００６５】
【表３】
2004083917.tif 000006
【００６６】
［実施例１６］
　製造例１のエステルと鉱油（５００ニュートラル）とを重量比１：１で混合し、得られた混合油の動粘度、流動点および加水分解安定性を測定した。その結果を第４表に示す。
【００６７】
［実施例１７］
　製造例２のエステルと牛脂とを重量比１：１で混合し、得られた混合油の動粘度、流動点および加水分解安定性を測定した。その結果を第４表に示す。
【００６８】
［実施例１８］
　製造例４のエステルと牛脂とを重量比１：１で混合し、得られた混合油の動粘度、流動点および加水分解安定性を測定した。その結果を第４表に示す。
【００６９】
［実施例１９］
　製造例４のエステルとトリメリット酸トリ（２−エチルヘキシル）とを重量比１：１で混合し、得られた混合油の動粘度、流動点および加水分解安定性を測定した。その結果を第４表に示す。
【００７０】
［実施例２０］
　製造例４のエステルとトリメチロールプロパントリオレエートとを重量比１：１で混合し、得られた混合油の動粘度、流動点および加水分解安定性を測定した。その結果を第４表に示す。
【００７１】
［実施例２１］
　製造例１０のエステルと牛脂とを重量比１：１で混合し、得られた混合油の動粘度、流動点および加水分解安定性を測定した。その結果を第４表に示す。
【００７２】
［比較例１〜４］
　製造比較例１〜４で得られたエステルの加水分解安定性を評価した。得られた結果を第４表に示す。
【００７３】
［比較例５］
　市販の牛脂をそのまま試料油とし、加水分解安定性を評価した。得られた結果を第４表に示す。
【００７４】
［比較例６］
　パラフィン系ニュートラル油（５００ニュートラル）をそのまま比較例５の試料油とし、動粘度および流動点を評価した。得られた結果を第４表に示す。
【００７５】
［比較例７］
　ヤシ油脂肪酸のＣ12〜Ｃ18留分のメチルエステルの加水分解安定性を評価した。評価結果を第４表に示す。
【００７６】
【表４】
2004083917.tif 000007
【００７７】
［製造例１５］
　撹拌機、温度計、冷却管付き水分分留器を備えた４ツ口フラスコ１，２−シクロヘキサンジカルボン酸無水物（本品は４−シクロヘキセン−１、２−ジカルボン酸無水物を水添することにより調製した。）２４３．２ｇ（１．６モル）およびイソヘプタノール４０８．３ｇ（３．５モル）を仕込み、テトライソプロピルチタネート触媒の存在下、減圧下にて２００℃まで昇温した。生成した水を水分分留器にとりながらエステル化反応を約９時間行った。反応後、過剰のイソヘプタノールを蒸留で除去し、苛性ソーダで中和し、その後中性になるまで水洗した。その後、活性炭処理を行い、濾過後、１，２−シクロヘキサンジカルボン酸ジイソヘプチル４８３．０ｇを得た。酸価および動粘度を第５表に示す。
【００７８】
［製造例１６〜２５］
　製造例１５と同様の方法により、第５表に示す各エステルを得た。各エステルの酸価および動粘度を同表に示す。
【００７９】
【表５】
2004083917.tif 000008
【００８０】
［製造例２６〜３２］
　製造例１５と同様の方法により、第６表に示す各エステルを得た。各エステルの酸価および動粘度を同表に示す。
【００８１】
［製造例３３］
　ピロメリット酸無水物と３，５，５−トリメチルヘキサノールを原料としてエステル化し、得られたピロメリット酸テトラ（３，５，５−トリメチルヘキシル）を核水添することにより１，２，４，５−シクロヘキサンテトラカルボン酸テトラ（３，５，５−トリメチルヘキシル）を調製した。酸価および動粘度を第６表に示す。
【００８２】
【表６】
2004083917.tif 000009
【００８３】
［製造比較例８〜１１］
　製造例１５と同様の方法により、第７表に示す各エステルを得た。各エステルの酸価および動粘度を第７表に示す。
【００８４】
［製造比較例１２］
原料としてピロメリット酸無水物および３，５，５−トリメチルヘキサノールを用い、製造例１３と同様の方法によりエステル化し、ピロメリット酸テトラ（３，５，５−トリメチルヘキシル）を得た。酸価および動粘度を第７表に示す。
【００８５】
［製造比較例１３〜１８］
　市販の可塑剤用として用いる脂肪族二塩基酸エステルおよび芳香族エステルを用意した。
【００８６】
【表７】
2004083917.tif 000010
【００８７】
［実施例２２〜３２］
　製造例１５〜２５で得られたエステルの加水分解安定性を評価した。得られた結果を第８表に示す。
【００８８】
［実施例３３〜４０］
　製造例２６〜３３で得られたエステルの加水分解安定性を評価した。得られた結果を第９表に示す。
【００８９】
［比較例８〜１２］
　製造比較例８〜１２で得られたエステルの加水分解安定性を評価した。得られた結果を第１０表に示す。
【００９０】
［比較例１３〜１８］
　市販の可塑剤用として用いる脂肪族二塩基酸エステルおよび芳香族エステルを比較例１３〜１８のエステルとし、それらの加水分解安定性を評価した。得られた結果を第１０表に示す。
【００９１】
【表８】
2004083917.tif 000011
【００９２】
【表９】
2004083917.tif 000012
【００９３】
【表１０】
2004083917.tif 000013
【００９４】
【表１１】
2004083917.tif 000014
【００９５】
［実施例４１］
１，２−シクロヘキサンジカルボン酸ジ（３，５，５−トリメチルヘキシル）とペンタエリスリトールテトラ（３，５，５−トリメチルヘキサノエート）とを重量比１：１で混合し、得られた混合エステルの動粘度、体積固有抵抗、フロン相溶性および加水分解安定性を測定した。その結果を第１１表に示す。
【００９６】
［実施例４２］
１，２−シクロヘキサンジカルボン酸ジ（３，５，５−トリメチルヘキシル）、ペンタエリスリトールテトラ（３，５，５−トリメチルヘキサノエート）、トリメチロールプロパントリ（３，５，５−トリメチルヘキサノエート）を重量比１：１：１で混合し、得られた混合エステルの動粘度、体積固有抵抗、フロン相溶性および加水分解安定性を測定した。その結果を第１１表に示す。
【００９７】
［比較例１９〜２０］
製造比較例８〜９のエステルを比較例１９〜２０のエステルとして用い、実施例４１と同様の方法により体積固有抵抗、フロン相溶性を測定した。その結果を第１１表に示す。
実施例１〜１５から明らかなように、脂環式ポリカルボン酸エステルは加水分解安定性が良好で酸価の上昇が小さく、金属表面の変化はほとんど観られない。これに対し、比較例１〜７に示すようにトリメチロールプロパンオレイン酸エステル、脂肪酸モノエステル、および牛脂は、酸価の上昇が大きく金属の腐食も大きい。また、実施例１６〜２１に示すように、脂環式ポリカルボン酸エステルと比較例の鉱油や他のエステルとを併用した場合も、比較例の試料油を単独で用いた場合に比べて加水分解安定性が改善される。
【００９８】
　さらに、実施例２２〜４０で示すように、本発明に係る脂環式ポリカルボン酸エステルは、加水分解安定性に優れると共に実施例４１および４２で示すように冷凍機油として要求される冷媒相溶性、体積固有抵抗も良好であり、ハイドロフルオロカーボン系冷媒用として高品質冷凍機油を提供することができる。
【産業上の利用可能性】
【００９９】
　本発明の脂環式ポリカルボン酸エステルを含有する潤滑油は加水分解安定性に優れ苛酷な条件下において酸価の上昇も低く、金属の表面変化も小さく、また、各用途において要求される性状も有することから、切削油、圧延油、研削油、引抜油、プレス加工油等の金属加工油、油圧作動油、繊維用油剤、グリースをはじめ、エマルジョンとして、または水の混入条件下で使用される種々の用途にわたる潤滑油の基油に用いることができる。また、低温でフロンとの相溶性にも優れ、分子中に塩素原子を含まないハイドロフルオロカーボン、例えば、ＨＦＣ−１３４ａ、ＨＦＣ−１３４、ＨＦＣ−１２５、ＨＦＣ−３２、ＨＦＣ−１４３ａおよびそれらの混合物を冷媒とする冷凍機用潤滑油の基油として用いることができ、産業上の利用価値は極めて大きい。